(57)【要約】【課題】一個又は２個の粘着ローラーとブラシによりかき出し、カーペット、じゅうたん、フローリング、畳、網戸、ふとんなどのほこり、ゴミ、髪の毛、ペットの毛、ダニ、花粉などをきれいに取り除く為の清掃道具を提供する。【解決手段】粘着ローラーの回転軸とかき出し手段を連結しハンドルを設ける又は２個の粘着ローラーの回転軸とかき出し手段を連結しハンドル軸を中心にシーソウのように回動するよう設け、粘着ローラーの上部にヘッドカバーを設けその端に刃を付けたことをを特徴とする粘着ローラークリーナー。【選択図】図１２
2009247873.tif 000002
【特許請求の範囲】
【請求項１】
粘着ローラーの回転軸とかき出し手段を連結しハンドルを設ける。
【請求項２】
粘着ローラーの回転軸とブラシ部を連結しハンドル軸を中心にシーソウのように回動するよう設ける。
【請求項３】
ハンドルを設けた粘着ローラーの回転軸とブラシ部を回動自在に連結し反対側に振れ止めを設ける。
【請求項４】
粘着ローラーの回転軸とブラシ部を連結し、粘着ローラーの軸内に偏芯してハンドル軸を設けて回動するよう設ける。
【請求項５】
２個の粘着ローラー回転軸を連結しハンドルを設ける。
【請求項６】
２個の粘着ローラーの回転軸を連結しハンドル軸を中心にシーソウのように回動するよう設ける。
【請求項７】
２個の粘着ローラーの回転軸とかき出し手段を連結しハンドル軸を中心にシーソウのように回動するよう設ける。
【請求項８】
以上の粘着ローラーの上部にヘッドカバーを設けその端に刃を付ける。以上を特徴とする粘着ローラークリーナー。
【発明の詳細な説明】
【技術分野】
【０００１】  本発明は、一個又は２個の粘着ローラーとブラシによりかき出し、カーペット、じゅうたん、フローリング、畳、網戸、ふとんなどのほこり、ゴミ、髪の毛、ペットの毛、ダニ、花粉などをきれいに取り除く為の清掃道具に関するものである。
【背景技術】
【０００２】  従来、ー個の粘着ローラーを転がしゴミをくっつけて清掃する道具である。
【発明の開示】
【発明が解決しようとする課題】
【０００３】  これは次のような欠点があった。
（ー）ー個の粘着ローラーだけでゴミをくっつけて掃除するのは、カーペットやじゅうたんの毛の中のゴミ、フローリングの目地や畳の目の間、網戸などはとりにくかった。
（二）粘着シートを巻きつけて剥がしながら使用するものにあっては、剥がしにくく面倒であった。
（三）しかしながらスムーズに使いこなされなくてはならない。
本発明は、これらの欠点を除くためになされたものである。
【課題を解決するための手段】
【０００４】  （イ）粘着ローラーの回転軸とかき出し手段を連結しハンドルを設ける。
（ロ）粘着ローラーの回転軸とブラシ部を連結しハンドル軸を中心にシーソウのように回動するよう設ける。
（ハ）ハンドルを設けた粘着ローラーの回転軸とブラシ部を回動自在に連結し反対側に振れ止めを設ける。
（ニ）粘着ローラーの回転軸とブラシ部を連結し、粘着ローラーの軸内に偏芯してハンドル軸を設けて回動するよう設ける。
（ホ）２個の粘着ローラー回転軸を連結しハンドルを設ける。
（ヘ）２個の粘着ローラーの回転軸を連結しハンドル軸を中心にシーソウのように回動するよう設ける。
（ト）２個の粘着ローラーの回転軸とかき出し手段を連結しハンドル軸を中心にシーソウのように回動するよう設ける。
（チ）以上の粘着ローラーの上部にヘッドカバーを設けその端に刃を付ける。
以上を特徴とする粘着ローラークリーナー。
【発明の効果】
【０００５】  本発明は以上のような構成だから、一個又は２個の粘着ローラーのくっつけ効果とブラシのかき出し効果により、カーペット、じゅうたん、フローリング、畳、網戸、ふとんなどのほこり、ゴミ、髪の毛、ペットの毛、ダニ、花粉などをきれいに取り除くことができ、スムーズに使用できる。粘着シートを巻きつけて剥がしながら使用するものにあっては、いらいらしないでスパット簡単に剥がせるようになった。
【発明を実施するための最良の形態】
【０００６】    以下、本発明の実施の形態について説明する。
（イ）図１、２は、本発明の１実施例であり、粘着ローラー１の回転軸７とエチケットブラシを目が前方向になるよう張りつけたブラシ部２を連結板で連結し、ヘッドカバー５を上部にかけて設け、先端をカーブＶ刃５ａにし中間に柔軟性のハンドル４を設ける。ローラーとブラシをバランスよく加圧させるためである。
（ロ）図３、４は、本発明の１実施例であり、粘着ローラー１の回転軸７とエチケットブラシを目が前方向になるよう張りつけた筒状のブラシ部２を連結板１２で連結しハンドル軸３を中心にシーソウのように回動するよう設ける。ローラー１とブラシ２をバランスよく加圧させるためである。ヘッドカバー５を上部にかけて設け、先端をカーブＶ刃５ａにし中間に回動自在のハンドル４を設ける。スムーズに使用できる為のものである。
（ハ）図５、６、７は、本発明の１実施例であり、ハンドル４を設けた粘着ローラー１の回転軸３とエチケットブラシを目が前方向になるよう張りつけた筒状のブラシ部２を回動自在に連結板１２で連結する。ブラシ２はー定の加圧でかき出す。ヘッドカバー５を上部にかけて設け、先端をカーブＶ刃５ａにし振れ止め８を筒状のブラシ部２に入るよう設ける。振れ止め８はブラシ部２が前後のぶれをなくすために設けるもので突起１０がホルダー内１３には入り係止の爪９が開口１１に収まり固定される。図５の突起上部６は、ハンドル４にかかりブラシ部２が上がったときに垂れ下がらないようになっている。下部６はハンドル４の角度が垂直に近ずくほど押しずらくなるのを防ぐ為にブラシ２を床から離す役目を果たしスムーズに使用できる為のものである。
（ニ）図８、９、１０は、本発明の１実施例であり、粘着ローラー１の回転軸７とエチケットブラシ２を目が前方向になるよう張りつけた筒状のブラシ部２を連結板１２で連結し、粘着ローラー１の軸内７に偏芯してハンドル軸３を設けて回動するよう設ける。ヘッドカバー５を上部にかけて設け、先端をカーブＶ刃５ａにする。やや後ろに偏芯してハンドル軸３を設けることでブラシ部２に加圧させかき出し効果をよくする。図１０の突起６は、ハンドルにかかりブラシ部が上げたときに垂れ下がらないようになっている。下部６はハンドル４の角度が垂直に近ずくほど押しずらくなるのを防ぐ為にブラシ２を床から離す役目を果たしスムーズに使用できる為のものである。
（ホヘト）図１１、１２、１３は、本発明の１実施例であり、２個の粘着ローラー１の回転軸７とからなるコの棒状の金具１４とかき出し手段ブラシ２を連結板１２で連結し動きが滑らかになるようハンドル軸３を中心にシーソウのように回動するよう設ける。ヘッドカバー５を上部にかけて設け両先端をカーブＶ刃５ａにする。図１３断面図は、図１２のＥ−Ｅ｀でありブラシ２はハンドル軸３を軸に上下前後自在に動き、むりな圧力が床にかからないようになっている。以上の構成だからスムーズな操作で使用できる。
（チ）図１６、１７は床のゴミをかき出し、往復させて粘着ローラー１でくっつける図であり、図１６はー個の粘着ローラー１とブラシ２、図１７は二個の粘着ローラー１間にブラシ２を設けて発明の効果を示す。
（リ）図１４、１５は、直線Ｖ刃５ｂとカーブＶ刃５ａの違いを表す図であり、以上の粘着ローラー１の上部にヘッドカバー５を設けその端にカーブＶ刃５ａにするのは、直線Ｖ刃５ｂでも切れ味、やりやすさの効果があるが切ったときに両端が図１４のようにカーブｃしてしまうので次に剥がすときに途中で切れてしまい剥がしにくくなってしまうのである。これは、粘着ローラーとヘッドカバーにすきまｄがある為におきることがわかったからである。両側をカーブするＶ刃５ａにすることで解消できた。Ａは切り始め、Ｂは切ったあと、Ｃは折り目を付け折り返して張ったあと。次にめくるとき楽である。
【図面の簡単な説明】
【０００７】
【図１】  特許請求１の本発明の側面図
【図２】  特許請求１の本発明の上面斜視図
【図３】  特許請求２の本発明の側面図
【図４】  特許請求２の本発明の上面斜視図
【図５】  特許請求３の本発明の側面図
【図６】  特許請求３の本発明の振り止めを外した状態を示す上面斜視図
【図７】  特許請求３の本発明の上面斜視図
【図８】  特許請求４の本発明の側面図
【図９】  特許請求４の本発明の上面斜視図
【図１０】  特許請求４の本発明の側面図
【図１１】  特許請求５、６、７の本発明の側面上面斜視図
【図１２】  特許請求５、６、７の本発明の側面上面斜視図と断面図線
【図１３】  特許請求５、６、７の本発明の側面断面図
【図１４】  特許請求１〜４の本発明の使用した状態を示す側面図
【図１５】  特許請求５〜７の本発明の使用した状態を示す側面図
【図１６】  本発明の粘着テープを切って使用した状態を示す斜視図
【図１７】  本発明の粘着テープを切って使用した状態を示す斜視図
【符号の説明】
【０００８】１    粘着ローラー
２    ブラシ部
３    ハンドル軸
４    ハンドル
５    ヘッドカバー
５ａ  カーブＶ刃
５ｂ  直線Ｖ刃
６    突起
７    回転軸
８    振り止め
９    係止の爪
１０  突起
１１  開口
１２  連結板
１３  ホルダー
１４  コの棒状の金具
Ａ    切り始め
Ｂ    切ったあと
Ｃ    折り目を付けて折り返して張ったあと
ｄ    すきま
ｃ    切ったあとのカーブ
【図１】
2009247873.tif 000003
【図２】
2009247873.tif 000004
【図３】
2009247873.tif 000005
【図４】
2009247873.tif 000006
【図５】
2009247873.tif 000007
【図６】
2009247873.tif 000008
【図７】
2009247873.tif 000009
【図８】
2009247873.tif 000010
【図９】
2009247873.tif 000011
【図１０】
2009247873.tif 000012
【図１１】
2009247873.tif 000013
【図１２】
2009247873.tif 000014
【図１３】
2009247873.tif 000015
【図１４】
2009247873.tif 000016
【図１５】
2009247873.tif 000017
【図１６】
2009247873.tif 000018
【図１７】
2009247873.tif 000019